(57)【要約】      （修正有）【課題】複雑な計算を必要とせず、より簡単に、より正確に、４５度に分岐する継手や４５度に曲がる継手の位置およびその継手に接合される直管の長さを求めることができる測定器を提供する。【解決手段】物差し１０１は、板状に形成され、いずれか一方の面に直線１２１と直線１２１に４５度に交差する直線１２２とが表され、両直線の交点に分岐中心孔１３１が形成され、規格に定められている配管の継手であって、４５度に分岐するかまたは４５度に曲がる継手の分岐または曲がりの中心から接合部までの長さに応じた、交点からの距離にある位置であって、直線１２１上または直線１２２上の位置に目盛り１３２−１乃至１３２−８、目盛り１３３−１乃至１３３−６、および目盛り１３４−１乃至１３４−９が設けられている。【選択図】図４
0003212772.tif 000002
【実用新案登録請求の範囲】
【請求項１】
板状に形成され、いずれか一方の面に第１の直線と前記第１の直線に４５度に交差する第２の直線とが表され、前記第１の直線および前記第２の直線の交点に孔が形成され、規格に定められている配管の継手であって、４５度に分岐するかまたは４５度に曲がる継手の分岐または曲がりの中心から接合部までの長さに応じた、前記交点からの距離にある位置であって、前記第１の直線上または前記第２の直線上の位置に目盛りが設けられている物差し部と、
前記第１の直線に沿ってレーザー光を射出する第１のレーザー光射出手段と、
前記第２の直線に沿ってレーザー光を射出する第２のレーザー光射出手段と
を含む測定器。
【請求項２】
請求項１に記載の測定器において、
前記物差し部の目盛りは、前記配管の継手の分岐若しくは曲がりの中心から接合部の開口の端部までの長さ、または前記配管の継手の分岐若しくは曲がりの中心から接合部の内側の端部までの長さに応じた位置に設けられている
測定器。
【請求項３】
請求項１または請求項２に記載の測定器において、
前記物差し部の目盛りには、前記配管の継手の名称または名称に応じた記号および呼び径が表記されている
測定器。
【請求項４】
請求項１から請求項３のいずれか１項に記載の測定器において、
前記物差し部の目盛りは、孔として形成されている
測定器。
【請求項５】
請求項１から請求項４のいずれか１項に記載に記載の測定器において、
前記物差し部は、光透過性の材料から形成されている
測定器。
【請求項６】
請求項１から請求項５のいずれか１項に記載の測定器において、
前記第１のレーザー光射出手段および前記第２のレーザー光射出手段は、それぞれ、前記物差し部の厚さ方向に所定の幅でレーザー光を走査するレーザー墨出し器である
測定器。
【請求項７】
板状に形成され、いずれか一方の面に第１の直線と前記第１の直線に４５度に交差する第２の直線とが表され、前記第１の直線および前記第２の直線の交点に孔が形成され、規格に定められている配管の継手であって、４５度に分岐するかまたは４５度に曲がる継手の分岐または曲がりの中心から接合部までの長さに応じた、前記交点からの距離にある位置であって、前記第１の直線上または前記第２の直線上の位置に目盛りが設けられている物差し部と、
前記第１の直線に沿って第１のレーザー光を射出し、前記第２の直線に沿って第２レーザー光を射出するレーザー光射出手段と
を含む測定器。
【請求項８】
板状に形成され、
いずれか一方の面に第１の直線と前記第１の直線に４５度に交差する第２の直線とが表され、
前記第１の直線および前記第２の直線の交点に孔が形成され、
規格に定められている配管の継手であって、４５度に分岐するかまたは４５度に曲がる継手の分岐または曲がりの中心から接合部までの長さに応じた、前記交点からの距離にある位置であって、前記第１の直線上または前記第２の直線上の位置に目盛りが設けられている
物差し。
【考案の詳細な説明】
【技術分野】
【０００１】
本考案は測定器および物差しに関し、特に、配管の継手の位置およびその継手に接合される管の長さを測る測定器および物差しに関する。
【背景技術】
【０００２】
いわゆる下水を流すための配管として、ポリ塩化ビニル管が広く使用されている。ポリ塩化ビニル管を接合するための排水用硬質ポリ塩化ビニル管継手は、JIS K 6739に規格化されている。排水用硬質ポリ塩化ビニル管継手には、直管であるポリ塩化ビニル管の端部が差し込まれて接合される。
【０００３】
従来、円管の端口と当接する管端当接部と、管端当接部と当接した円管の端口から管内に向かって管端当接部から延出する延出部と、管端当接部と当接した円管の端口から管径の外側方向に向かって管端当接部から把持可能に延出する把持部と、管端当接部と当接した円管の外周面に沿って管端当接部から円管の筒軸方向に延出し、各径の円管の接続代に対応するように管端当接部から所定の位置に複数のマーキング孔が設けられた本体部とを備えるマーキング冶具が提案されている（例えば、特許文献１参照）。
【０００４】
また、ユニットバス設置床面の向かい合う二辺を形成する建物の一対の基礎または梁の一方に一端が他方に他端が係止可能な第一直線部材と、一端が第一直線部材に係脱可能であり且つ一端が第一直線部材に係止した状態で第一直線部材に直交して延在可能な第二直線部材とを備え、第一直線部材にはユニットバス支持脚とユニットバス床パンに対する湯水配管立ち上げ位置のユニットバス床パン上に設定された直交座標上での一方の軸方向の座標を示す印が表示されており、第二直線部材にはユニットバス支持脚とユニットバス床パンに対する湯水配管立ち上げ位置の直交座標上での他方の軸方向の座標を示す印が表示されている墨出し工具もある（例えば、特許文献２参照）。
【先行技術文献】
【特許文献】
【０００５】
【特許文献１】特開２０１３−１９３１４４号公報
【特許文献２】特願２００７−２４４６６３号公報
【考案の概要】
【考案が解決しようとする課題】
【０００６】
下水を流すための配管を９０度に分岐する継手や９０度に曲がる継手で接合すると、固形物の滞留や固形物による詰まりが生じやすくなるので、下水を流すための配管では４５度に分岐する継手や４５度に曲がる継手を用いるのが好ましい。
【０００７】
施工図面から継手の位置や管の長さを求めることもできるが、ユニットバスなどの設備の実際の配置位置に合わせる必要があり、また、梁などの構造部材を通したり、回避したり、またガスや電気などの他の配管との干渉も避けなければならず、最終的には、現場を確認した上で実際の配管の配置を決める必要がある。
【０００８】
しかしながら、４５度に分岐する継手や４５度に曲がる継手を用いる場合には、配管の継手の位置およびその継手に接合される直管の長さを求めることは、正確な墨出しを基に平方根を用いた複雑な計算が必要であり、実際に現場で行うには困難であった。
【０００９】
本考案は、このような状況に鑑みてなされたものであり、施工の現場において、複雑な計算を必要とせず、より簡単に、より正確に、４５度に分岐する継手や４５度に曲がる継手の位置およびその継手に接合される直管の長さを求めることができるようにするものである。
【課題を解決するための手段】
【００１０】
本考案の第１の側面の測定器は、板状に形成され、いずれか一方の面に第１の直線と第１の直線に４５度に交差する第２の直線とが表され、第１の直線および第２の直線の交点に孔が形成され、規格に定められている配管の継手であって、４５度に分岐するかまたは４５度に曲がる継手の分岐または曲がりの中心から接合部までの長さに応じた、交点からの距離にある位置であって、第１の直線上または第２の直線上の位置に目盛りが設けられている物差し部と、第１の直線に沿ってレーザー光を射出する第１のレーザー光射出手段と、第２の直線に沿ってレーザー光を射出する第２のレーザー光射出手段とを含む。
【００１１】
本考案の第１の側面においては、接合元と、接合元を通る直線上の接合先である第１接合先と、４５度に分岐する接合先である第２接合先とに４５度に分岐する継手および３本の直管で接合する場合、第１のレーザー光射出手段からのレーザー光が、接合元を通る直線上の接合先である第１接合先の中心を指し、第２のレーザー光射出手段からのレーザー光が、４５度に分岐する接合先である第２接合先の中心を指す位置に測定器を配置し、物差し部に形成されている、第１の直線および第２の直線の交点の孔によって、４５度に分岐する継手の分岐の中心点が求められる。そして、物差し部の目盛りの位置および接合元の位置から、接合元および継手に接合される直管の長さが求められ、物差し部の目盛りの位置および第１接合先の位置から、第１接合先および継手に接合される直管の長さが求められ、物差し部の目盛りの位置および第２接合先の位置から、第２接合先および継手に接合される直管の長さが求められる。このように、施工の現場において、複雑な計算を必要とせず、より簡単に、より正確に、４５度に分岐する継手の位置およびその継手に接合される直管の長さを求めることができる。
【００１２】
また、接合元と接合先とを４５度に曲がる継手および２本の直管で接合する場合、第１のレーザー光射出手段からのレーザー光が、接合元を通る直線上の仮想的な接合位置である基準位置を指し、第２のレーザー光射出手段からのレーザー光が、接合先の中心を指す位置に測定器を配置し、物差し部に形成されている、第１の直線および第２の直線の交点の孔によって、４５度に曲がる継手の曲がりの中心点が求められる。そして、物差し部の目盛りの位置および接合元の位置から、接合元および継手に接合される直管の長さが求められ、物差し部の目盛りの位置および接合先の位置から、接合先および継手に接合される直管の長さが求められる。このように、施工の現場において、複雑な計算を必要とせず、より簡単に、より正確に、４５度に曲がる継手の位置およびその継手に接合される直管の長さを求めることができる。
【００１３】
物差し部の目盛りを、配管の継手の分岐若しくは曲がりの中心から接合部の開口の端部までの長さ、または配管の継手の分岐若しくは曲がりの中心から接合部の内側の端部までの長さに応じた位置に設けることができる。物差し部の目盛りを、配管の継手の分岐または曲がりの中心から接合部の内側の端部までの長さに応じた位置に設けた場合には、その目盛りの指す位置が、継手に接合される直管の端部になるので、簡単にその継手に接合される直管の長さを求めることができる。また、物差し部の目盛りを、配管の継手の分岐または曲がりの中心から接合部の開口の端部までの長さに応じた位置に設けた場合には、管の呼び径により接合部の長さは決められているので、管の呼び径に応じた長さを差し引けば、継手に接合される直管の端部の位置を求めることができ、簡単にその継手に接合される直管の長さを求めることができる。
【００１４】
物差し部の目盛りには、配管の継手の名称または名称に応じた記号および呼び径を表記することができる。より簡単に、より正確に、使用しようとする継手に接合される直管の長さを求めることができる。
【００１５】
物差し部の目盛りは、孔として形成することができる。孔を通して床や壁などのマーカーなどで印をつけることで、継手の接合部の開口の端部または継手の接合部の内側の端部を示す印を正確な位置につけることができる。
【００１６】
物差し部を、光透過性の材料から形成することができる。物差し部を通して測定器をあてがっている床や壁などを確認することができるので、より容易に作業することができる。
【００１７】
第１のレーザー光射出手段および第２のレーザー光射出手段は、それぞれ、物差し部の厚さ方向に所定の幅でレーザー光を走査するレーザー墨出し器とすることができる。物差し部の厚さ方向に所定の幅でレーザー光が走査されるので、レーザー光が指し示す位置の確認がより容易になる。
【００１８】
本考案の第２の側面の測定器は、板状に形成され、いずれか一方の面に第１の直線と第１の直線に４５度に交差する第２の直線とが表され、第１の直線および第２の直線の交点に孔が形成され、規格に定められている配管の継手であって、４５度に分岐するかまたは４５度に曲がる継手の分岐または曲がりの中心から接合部までの長さに応じた、交点からの距離にある位置であって、第１の直線上または第２の直線上の位置に目盛りが設けられている物差し部と、第１の直線に沿って第１のレーザー光を射出し、第２の直線に沿って第２レーザー光を射出するレーザー光射出手段とを含む。
【００１９】
本考案の第２の側面においては、接合元と、接合元を通る直線上の接合先である第１接合先と、４５度に分岐する接合先である第２接合先とに４５度に分岐する継手および３本の直管で接合する場合、レーザー光射出手段からの第１のレーザー光が、接合元を通る直線上の接合先である第１接合先の中心を指し、レーザー光射出手段からの第２のレーザー光が、４５度に分岐する接合先である第２接合先の中心を指す位置に測定器を配置し、物差し部に形成されている、第１の直線および第２の直線の交点の孔によって、４５度に分岐する継手の分岐の中心点が求められる。そして、物差し部の目盛りの位置および接合元の位置から、接合元および継手に接合される直管の長さが求められ、物差し部の目盛りの位置および第１接合先の位置から、第１接合先および継手に接合される直管の長さが求められ、物差し部の目盛りの位置および第２接合先の位置から、第２接合先および継手に接合される直管の長さが求められる。このように、施工の現場において、複雑な計算を必要とせず、より簡単に、より正確に、４５度に分岐する継手の位置およびその継手に接合される直管の長さを求めることができる。
【００２０】
また、接合元と接合先とを４５度に曲がる継手および２本の直管で接合する場合、レーザー光射出手段からの第１のレーザー光が、接合元を通る直線上の仮想的な接合位置である基準位置を指し、レーザー光射出手段からの第２のレーザー光が、接合先の中心を指す位置に測定器を配置し、物差し部に形成されている、第１の直線および第２の直線の交点の孔によって、４５度に曲がる継手の曲がりの中心点が求められる。そして、物差し部の目盛りの位置および接合元の位置から、接合元および継手に接合される直管の長さが求められ、物差し部の目盛りの位置および接合先の位置から、接合先および継手に接合される直管の長さが求められる。このように、施工の現場において、複雑な計算を必要とせず、より簡単に、より正確に、４５度に曲がる継手の位置およびその継手に接合される直管の長さを求めることができる。
【００２１】
本考案の第３の側面の物差しは、板状に形成され、いずれか一方の面に第１の直線と第１の直線に４５度に交差する第２の直線とが表され、第１の直線および第２の直線の交点に孔が形成され、規格に定められている配管の継手であって、４５度に分岐するかまたは４５度に曲がる継手の分岐または曲がりの中心から接合部までの長さに応じた、交点からの距離にある位置であって、第１の直線上または第２の直線上の位置に目盛りが設けられている。
【００２２】
本考案の第３の側面においては、レーザー墨出し器と共に使用され、接合元と、接合元を通る直線上の接合先である第１接合先と、４５度に分岐する接合先である第２接合先とに４５度に分岐する継手および３本の直管で接合する場合、レーザー墨出し器からのレーザー光が第１の直線に沿って射出するようにレーザー墨出し器を物差しに配置したとき、レーザー墨出し器からのレーザー光が、接合元を通る直線上の接合先である第１接合先の中心を指し、かつ、レーザー墨出し器からのレーザー光が第２の直線に沿って射出するようにレーザー墨出し器を物差しに配置したとき、レーザー墨出し器からのレーザー光が、４５度に分岐する接合先である第２接合先の中心を指す位置に物差しを配置し、物差しに形成されている、第１の直線および第２の直線の交点の孔によって、４５度に分岐する継手の分岐の中心点が求められる。そして、物差しの目盛りの位置および接合元の位置から、接合元および継手に接合される直管の長さが求められ、物差しの目盛りの位置および第１接合先の位置から、第１接合先および継手に接合される直管の長さが求められ、物差しの目盛りの位置および第２接合先の位置から、第２接合先および継手に接合される直管の長さが求められる。このように、施工の現場において、複雑な計算を必要とせず、より簡単に、より正確に、４５度に分岐する継手の位置およびその継手に接合される直管の長さを求めることができる。
【００２３】
また、接合元と接合先とを４５度に曲がる継手および２本の管で接合する場合、レーザー墨出し器からのレーザー光が第１の直線に沿って射出するようにレーザー墨出し器を物差しに配置したとき、レーザー墨出し器からのレーザー光が、接合元を通る直線上の仮想的な接合位置である基準位置を指し、レーザー墨出し器からのレーザー光が第２の直線に沿って射出するようにレーザー墨出し器を物差しに配置したとき、レーザー墨出し器からのレーザー光が、接合先の中心を指す位置に物差しを配置し、物差しに形成されている、第１の直線および第２の直線の交点の孔によって、４５度に曲がる継手の曲がりの中心点が求められる。そして、物差しの目盛りの位置および接合元の位置から、接合元および継手に接合される直管の長さが求められ、物差しの目盛りの位置および接合先の位置から、接合先および継手に接合される直管の長さが求められる。このように、施工の現場において、複雑な計算を必要とせず、より簡単に、より正確に、４５度に曲がる継手の位置およびその継手に接合される直管の長さを求めることができる。
【考案の効果】
【００２４】
以上のように、本考案の第１の側面によれば、施工の現場において、複雑な計算を必要とせず、より簡単に、より正確に、４５度に分岐する継手や４５度に曲がる継手の位置およびその継手に接合される直管の長さを求めることができるようになる。また、本考案の第２の側面によれば、施工の現場において、複雑な計算を必要とせず、より簡単に、より正確に、４５度に分岐する継手や４５度に曲がる継手の位置およびその継手に接合される直管の長さを求めることができるようになる。
【００２５】
また、本考案の第３の側面によれば、施工の現場において、複雑な計算を必要とせず、より簡単に、より正確に、４５度に分岐する継手や４５度に曲がる継手の位置およびその継手に接合される直管の長さを求めることができるようになる。
【図面の簡単な説明】
【００２６】
【図１】配管の施工の例を示す図である。
【図２】本考案の一実施の形態の測定器９１の構成の一例を示す上面図である。
【図３】本考案の一実施の形態の測定器９１の構成の一例を示す右側面図である。
【図４】物差し１０１の例の詳細を示す図である。
【図５】物差し１０１の他の例の詳細を示す図である。
【図６】物差し１０１およびレーザー墨出し器１７１による計測の例を示す図である。
【図７】測定の手順を示すフローチャートである。
【図８】測定の手順を示すフローチャートである。
【図９】本考案の一実施の形態の測定器９１の構成の他の例を示す上面図である。
【考案を実施するための形態】
【００２７】
以下に本考案の実施の形態を説明するが、本考案の構成要件と、考案の詳細な説明に記載の実施の形態との対応関係を例示すると、次のようになる。この記載は、本考案をサポートする実施の形態が、考案の詳細な説明に記載されていることを確認するためのものである。従って、考案の詳細な説明中には記載されているが、本考案の構成要件に対応する実施の形態として、ここには記載されていない実施の形態があったとしても、そのことは、その実施の形態が、その構成要件に対応するものではないことを意味するものではない。逆に、実施の形態が構成要件に対応するものとしてここに記載されていたとしても、そのことは、その実施の形態が、その構成要件以外の構成要件には対応しないものであることを意味するものでもない。
【００２８】
本考案の第１の側面の測定器（例えば、図２の測定器９１）は、板状に形成され、いずれか一方の面に第１の直線と第１の直線に４５度に交差する第２の直線とが表され、第１の直線および第２の直線の交点に孔（例えば、図４の分岐中心孔１３１）が形成され、規格に定められている配管の継手であって、４５度に分岐するかまたは４５度に曲がる継手の分岐または曲がりの中心から接合部までの長さに応じた、交点からの距離にある位置であって、第１の直線上または第２の直線上の位置に目盛り（例えば、図４の目盛り１３２−１乃至１３２−８、目盛り１３３−１乃至１３３−６、および目盛り１３４−１乃至１３３−９）が設けられている物差し部（例えば、図２の物差し１０１）と、第１の直線に沿ってレーザー光を射出する第１のレーザー光射出手段（例えば、図２のレーザー墨出し部１０２）と、第２の直線に沿ってレーザー光を射出する第２のレーザー光射出手段（例えば、図２のレーザー墨出し部１０３）とを含む。
【００２９】
本考案の第２の側面の測定器（例えば、図９の測定器９１）は、板状に形成され、いずれか一方の面に第１の直線と第１の直線に４５度に交差する第２の直線とが表され、第１の直線および第２の直線の交点に孔が形成され、規格に定められている配管の継手であって、４５度に分岐するかまたは４５度に曲がる継手の分岐または曲がりの中心から接合部までの長さに応じた、交点からの距離にある位置であって、第１の直線上または第２の直線上の位置に目盛りが設けられている物差し部（例えば、図９の物差し１０１）と、第１の直線に沿って第１のレーザー光を射出し、第２の直線に沿って第２レーザー光を射出するレーザー光射出手段（例えば、図９のレーザー墨出し部２０１）とを含む。
【００３０】
本考案の第３の側面の物差し（例えば、図４の物差し１０１）は、板状に形成され、いずれか一方の面に第１の直線と第１の直線に４５度に交差する第２の直線とが表され、第１の直線および第２の直線の交点に孔（例えば、図４の分岐中心孔１３１）が形成され、規格に定められている配管の継手であって、４５度に分岐するかまたは４５度に曲がる継手の分岐または曲がりの中心から接合部までの長さに応じた、交点からの距離にある位置であって、第１の直線上または第２の直線上の位置に目盛り（例えば、図４の目盛り１３２−１乃至１３２−８、目盛り１３３−１乃至１３３−６、および目盛り１３４−１乃至１３３−９）が設けられている。
【００３１】
図１は、本考案の測定器または物差しが使用される、下水を流すための配管の施工の例を示す図である。住宅１１には、ユニットバス２１、洗面台２２およびトイレ２３が床上に設置される。配管３１は、床下に設けられ、屋外の配管３２に接合されるとともに、配管３３として分岐させられる。配管３３は、トイレ２３に繋げられる。配管３３から分岐させられた配管３４は、ユニットバス２１に繋げられる。配管３３から分岐させられた配管３５は、洗面台２２に繋げられる。
【００３２】
より詳細に説明すると、配管３１は、直管７１、継手５２、直管７２、直管７３、継手５３、直管７４、直管７５、継手５４、直管７６および直管７７で構成される。継手５１は、屋外の配管３２を９０度に分岐する。直管７１の一方の端部は、屋外の配管３２に接合された継手５１に接合される。直管７１の他方の端部は、継手５２に接合される。
【００３３】
継手５２、継手５３および継手５４は、４５度に分岐する。直管７１に接合された継手５２には、直管７１に対して直線状に接合される直管７２の一方の端部と、直管７１に対して４５度に分岐する直管７３の一方の端部とが接合される。
【００３４】
また、直管７３の他方の端部に接合された継手５３には、直管７３に対して直線状に接合される直管７４の一方の端部と、直管７３に対して４５度に分岐する直管７５の一方の端部とが接合される。直管７５の他方の端部は、ユニットバス２１に接合される。
【００３５】
直管７４の他方の端部に接合された継手５４には、直管７４に対して直線状に接合される直管７６の一方の端部と、直管７４に対して４５度に分岐する直管７７の一方の端部とが接合される。直管７６の他方の端部は、トイレ２３に接合される。直管７７の他方の端部は、洗面台２２に接合される。
【００３６】
図１に示される配管の例では、継手５１並びにユニットバス２１、洗面台２２およびトイレ２３の位置から、継手５２、継手５３および継手５４のそれぞれが配置される位置を決めて、直管７１、直管７２、直管７３、直管７４、直管７５、直管７６および直管７７のそれぞれの長さを求める必要がある。
【００３７】
本考案の測定器または物差しは、例えば、図１に示される配管において、継手５１並びにユニットバス２１、洗面台２２およびトイレ２３の位置から、より簡単に、より正確に、継手５２、継手５３および継手５４のそれぞれが配置される位置を決めて、直管７１、直管７２、直管７３、直管７４、直管７５、直管７６および直管７７のそれぞれの長さを求めることができるようにするものである。
【００３８】
以下、本考案の一実施の形態を図２乃至図９を参照して説明する。図２および図３は、それぞれ、本考案の一実施の形態の測定器９１の構成の一例を示す上面図および右側面図である。
【００３９】
なお、測定器９１に対して前後の方向をＸ軸で図示し、上下の方向をＺ軸で図示し、左右の方向をＹ軸で図示する。また、以下、Ｙ軸方向のうち、図２中の左側を単に左側と称し、Ｘ軸方向のうち、図２中の上側を単に前側と称する。さらに、以下、Ｙ軸方向のうち、図２中の右側を単に右側と称し、Ｘ軸方向のうち、図１中の下側を単に後側と称する。さらにまた、以下、Ｚ軸方向のうち、図３中の左側を単に上側と称し、Ｚ軸方向のうち、図３中の右側を単に下側と称する。また、Ｚ軸方向を、単に上下方向とも称し、Ｘ軸方向を、単に前後方向とも称し、Ｙ軸方向を単に左右方向とも称する。さらに、Ｘ軸およびＹ軸に平行な面に沿う方向を単に水平方向または横方向とも称する。
【００４０】
測定器９１によって、４５度に分岐する継手を用いて、分岐の元である接合元と、接合元を通る直線上の接合先である第１接合先と、４５度に分岐する接合先である第２接合先とを３本の直管で接合する場合、接合元の位置、第１接合先の位置および第２接合先の位置から、４５度に分岐する継手の位置を求めることができる。例えば、図１の継手５３の位置、洗面台２２の位置およびトイレ２３の位置が決まっている場合、継手５４を用いて、接合元の例である継手５３と、第１接合先の例であるトイレ２３と、第２接合先の例である洗面台２２とを直管７４、直管７６および直管７７で接合する場合、測定器９１によって、継手５３の位置、トイレ２３の位置および洗面台２２の位置の位置から、継手５４の位置を求めることができる。
【００４１】
また、測定器９１によって、４５度に分岐する継手を用いて、分岐の元である接合元と、接合元を通る直線上の接合先である第１接合先と、４５度に分岐する接合先である第２接合先とを３本の直管で接合する場合、接合元の位置、第１接合先の位置および第２接合先の位置から、接合元と継手とを接合する直管の長さ、継手と第１接合先とを接合する直管の長さおよび継手と第２接合先とを接合する直管の長さを求めることができる。例えば、図１の継手５３の位置、洗面台２２の位置およびトイレ２３の位置が決まっている場合、継手５４を用いて、接合元の例である継手５３と、第１接合先の例であるトイレ２３と、第２接合先の例である洗面台２２とを直管７４、直管７６および直管７７で接合する場合、測定器９１によって、継手５３と継手５４とを接合する直管７４の長さ、継手５４とトイレ２３とを接合する直管７６の長さおよび継手５４と洗面台２２とを接合する直管７７の長さを求めることができる。
【００４２】
測定器９１は、物差し１０１、レーザー墨出し部１０２およびレーザー墨出し部１０３を含み構成される。物差し１０１は、物差しまたは物差し部の一例であり、アクリル、塩化ビニル若しくはポリカーボネートなどの樹脂、ステンレス鋼、アルミニウム合金若しくはマグネシウム合金などの金属、またはガラス繊維強化プラスチック若しくは炭素繊維強化プラスチックなどの繊維強化プラスチックなどの素材で板状に形成されている。例えば、物差し１０１は、長方形または正方形の板状に形成されるが、多角形状や円形または楕円形であってもよい。好ましくは、物差し１０１は、透明や半透明などの光透過性の材料から形成されている。このようにすることで、物差し１０１を通して測定器９１をあてがっている床や壁などを確認することができるので、より容易に作業することができる。
【００４３】
板状に形成されている物差し１０１の上面側には、２本の直線が表されている。物差し１０１に表されている２本の直線は、物差し１０１の上面上で交差させられている。なお、ここに言う直線とは、物差し１０１の上面の範囲の長さであれば充分であり、有限の長さの線分のことをいう。
【００４４】
図２に示されている物差し１０１の例において、長方形状の物差し１０１の上面側には、物差し１０１の右側端部に比較して、物差し１０１の左側端部に近い位置であって、物差し１０１の左側端部に平行に１本の直線が表されている。すなわち、長方形状の物差し１０１の上面側には、物差し１０１の左側端部側に前後方向に伸びる１本の直線が表されている。また、長方形状の物差し１０１の上面側には、物差し１０１の左側端部側から右側端部側に向かうに従い、後側から前側になる１本の直線が表されている。すなわち、長方形状の物差し１０１の上面側には、物差し１０１の端部に対して斜めに交差する１本の直線が表されている。物差し１０１の端部に対して斜めに交差する１本の直線は、前後方向に伸びる１本の直線と物差し１０１の上面上で交差させられている。
【００４５】
レーザー墨出し部１０２は、第１のレーザー光射出手段の一例であり、物差し１０１に固定されているか、または着脱自在に装着されている。レーザー墨出し部１０２は、レーザー光を射出する。レーザー墨出し部１０２は、物差し１０１の上面側に表されている２本の直線のうちの一方の直線に沿ってレーザー光を射出する。レーザー墨出し部１０２は、物差し１０１の厚さ方向に所定の幅でレーザー光を走査する。物差し１０１の厚さ方向に所定の幅でレーザー光が走査されるので、レーザー光が指し示す位置の確認がより容易になる。レーザー墨出し部１０２は、内蔵されているバッテリーにより駆動される。
【００４６】
例えば、レーザー墨出し部１０２は、物差し１０１に対して、物差し１０１の下端部であって、物差し１０１の左側端部に近い位置に配置される。レーザー墨出し部１０２は、物差し１０１の左側端部側に前後方向に伸びる１本の直線に沿ってレーザー光を射出する。
【００４７】
レーザー墨出し部１０３は、第２のレーザー光射出手段の一例であり、物差し１０１に固定されているか、または着脱自在に装着されている。レーザー墨出し部１０３は、レーザー光を射出する。レーザー墨出し部１０３は、物差し１０１の上面側に表されている２本の直線のうちの他方の直線に沿ってレーザー光を射出する。レーザー墨出し部１０３は、物差し１０１の厚さ方向に所定の幅でレーザー光を走査する。物差し１０１の厚さ方向に所定の幅でレーザー光が走査されるので、レーザー光が指し示す位置の確認がより容易になる。レーザー墨出し部１０３は、内蔵されているバッテリーにより駆動される。
【００４８】
例えば、レーザー墨出し部１０３は、物差し１０１に対して、物差し１０１の左端部であって、物差し１０１の下側端部に近い位置に配置される。レーザー墨出し部１０３は、物差し１０１の端部に対して斜めに交差する１本の直線に沿ってレーザー光を射出する。
【００４９】
なお、レーザー墨出し部１０２およびレーザー墨出し部１０３は、走査しないで、点状の収束しているレーザー光を射出するものでも、管の径と同程度の径の円状に拡散されたレーザー光を射出するものであってもよい。
【００５０】
次に、図４を参照して、物差し１０１の例の詳細を説明する。図４は、ＶＵ（硬質ポリ塩化ビニル管）継手のうち、ＶＵ  ４５Ｌ（４５度エルボ）継手またはＶＵ  Ｙ（４５度Ｙ）継手を用いる場合の物差し１０１の例を示す。ＶＵ  ４５Ｌ（４５度エルボ）継手は、４５度に曲がり、２本の直管に接合される。ＶＵ  Ｙ（４５度Ｙ）継手は、４５度に分岐し、分岐元につなげられる接合部と、分岐元につなげられる接合部から直線的につながる接合部と、分岐元に対して４５度に分岐する接合部とを有し、３本の直管に接合される。
【００５１】
また、呼び径は、配管の径を示す。呼び径が５０であるＶＵ  ４５Ｌ（４５度エルボ）継手には、呼び径が５０である２本の直管が接合される。呼び径が７５であるＶＵ  ４５Ｌ（４５度エルボ）継手には、呼び径が７５である２本の直管が接合される。呼び径が１００であるＶＵ  ４５Ｌ（４５度エルボ）継手には、呼び径が１００である２本の直管が接合される。
【００５２】
呼び径が５０であるＶＵ  Ｙ（４５度Ｙ）継手には、呼び径が５０である３本の直管が接合される。呼び径が７５であるＶＵ  Ｙ（４５度Ｙ）継手には、呼び径が７５である３本の直管が接合される。呼び径が１００であるＶＵ  Ｙ（４５度Ｙ）継手には、呼び径が１００である３本の直管が接合される。
【００５３】
呼び径が７５×５０であるＶＵ  Ｙ（４５度Ｙ）継手には、分岐元につなげられる接合部と、分岐元につなげられる接合部に直線的につながる接合部とには、呼び径が７５である直管がそれぞれ接合され、分岐元に対して４５度に分岐する接合部には、呼び径が５０である直管が接合される。呼び径が１００×５０であるＶＵ  Ｙ（４５度Ｙ）継手には、分岐元につなげられる接合部と、分岐元につなげられる接合部に直線的につながる接合部とには、呼び径が１００である直管がそれぞれ接合され、分岐元に対して４５度に分岐する接合部には、呼び径が５０である直管が接合される。呼び径が１００×７５であるＶＵ  Ｙ（４５度Ｙ）継手には、分岐元につなげられる接合部と、分岐元につなげられる接合部に直線的につながる接合部とには、呼び径が１００である直管がそれぞれ接合され、分岐元に対して４５度に分岐する接合部には、呼び径が７５である直管が接合される。
【００５４】
物差し１０１の上面側には、直線１２１および直線１２２が表されている。直線１２１は、物差し１０１の左端部側に配置され前後方向に伸びる。直線１２２は、物差し１０１の端部に対して斜めに交差する。直線１２１と直線１２２とは、物差し１０１の上面上で交差させられている。
【００５５】
また、物差し１０１の上面側には、配置マーク１２３、配置マーク１２４、レーザー光射出マーク１２５およびレーザー光射出マーク１２６が表されている。配置マーク１２３は、直線１２１の後側の端部に配置されている。配置マーク１２３は、後側に開いたＵ字状（コの字状）とされている。配置マーク１２３は、レーザー墨出し部１０２が配置される位置を示す。直線１２２の左後側の端部には、左後側に開いたＵ字状（コの字状）の配置マーク１２４が表されている。配置マーク１２４は、レーザー墨出し部１０４が配置される位置を示す。
【００５６】
配置マーク１２３の前には、三角のレーザー光射出マーク１２５が表されている。レーザー光射出マーク１２５は、レーザー墨出し部１０２から射出されるレーザー光の向きを示す。レーザー光射出マーク１２５の一辺は、配置マーク１２３の前側の辺と平行とされ、レーザー光射出マーク１２５の頂点の１つは、直線１２１上に配置される。配置マーク１２４の前には、三角のレーザー光射出マーク１２６が表されている。レーザー光射出マーク１２６は、レーザー墨出し部１０３から射出されるレーザー光の向きを示す。レーザー光射出マーク１２６の一辺は、配置マーク１２４の前側の辺と平行とされ、レーザー光射出マーク１２６の頂点の１つは、直線１２２上に配置される。
【００５７】
物差し１０１には、直線１２１と直線１２２との交点に分岐中心孔１３１が形成されている。分岐中心孔１３１は、板状の物差し１０１の上面と底面とを貫通する円形の孔である。分岐中心孔１３１は、継手の分岐の中心または継手の曲がりの中心を示す。分岐中心孔１３１を通して床や壁などのマーカーなどで印をつけることで、継手の分岐の中心または継手の曲がりの中心を示す印を正確な位置につけることができるように、分岐中心孔１３１の径は、３乃至４ｍｍとされている。
【００５８】
物差し１０１には、直線１２１上に、目盛り１３２−１乃至目盛り１３２−８および目盛り１３３−１乃至目盛り１３３−６が設けられている。目盛り１３２−１乃至目盛り１３２−８および目盛り１３３−１乃至目盛り１３３−６は、それぞれ、継手の分岐または曲がりの中心から接合部の開口の端部までの長さを示す。すなわち、分岐中心孔１３１から目盛り１３２−１乃至目盛り１３２−８までのそれぞれの長さは、継手の規格ごとの、継手の分岐または曲がりの中心から接合部の開口の端部までの長さと同じである。同様に、分岐中心孔１３１から目盛り１３３−１乃至目盛り１３３−６までのそれぞれの長さは、継手の規格ごとの、継手の分岐または曲がりの中心から接合部の開口の端部までの長さと同じである。
【００５９】
目盛り１３２−１乃至目盛り１３２−８および目盛り１３３−１乃至目盛り１３３−６は、それぞれ、板状の物差し１０１の上面と底面とを貫通する円形の孔である。目盛り１３２−１乃至目盛り１３２−８および目盛り１３３−１乃至目盛り１３３−６のそれぞれの径は、床や壁などのマーカーなどで印をつけることで、継手の接合部の開口の端部を示す印を正確な位置につけることができるように、３乃至４ｍｍとされている。
【００６０】
目盛り１３２−１乃至目盛り１３２−８は、分岐中心孔１３１とレーザー光射出マーク１２５との間に設けられている。すなわち、目盛り１３２−１乃至目盛り１３２−８は、分岐中心孔１３１の後側に設けられている。
【００６１】
目盛り１３２−１は、呼び径が１００×５０であるＶＵ  Ｙ（４５度Ｙ）継手の接合部のうち、分岐元側の接合部の長さであって、継手の分岐の中心から接合部の開口の端部までの長さを示す。分岐中心孔１３１から目盛り１３２−１までの長さは、４２ｍｍである。目盛り１３２−１には、呼び径が１００×５０であるＶＵ  Ｙ（４５度Ｙ）継手の名称または名称に応じた記号および呼び径を示す「１００×５０Ｙ」が表記されている。
【００６２】
目盛り１３２−２は、呼び径が７５×５０であるＶＵ  Ｙ（４５度Ｙ）継手の接合部のうち、分岐元側の接合部の長さであって、継手の分岐の中心から接合部の開口の端部までの長さを示す。また、目盛り１３２−２は、呼び径が５０であるＶＵ  ４５Ｌ（４５度エルボ）継手の接合部のうちの、元側（曲がる前側）の接合部の長さであって、継手の曲がりの中心から接合部の開口の端部までの長さを示す。分岐中心孔１３１から目盛り１３２−２までの長さは、４３ｍｍである。目盛り１３２−２には、呼び径が７５×５０であるＶＵ  Ｙ（４５度Ｙ）継手の名称または名称に応じた記号および呼び径を示す「７５×５０Ｙ」が表記されている。また、目盛り１３２−２には、呼び径が５０であるＶＵ  ４５Ｌ（４５度エルボ）継手の名称または名称に応じた記号および呼び径を示す「５０  ４５°」が表記されている。
【００６３】
目盛り１３２−３は、呼び径が５０であるＶＵ  Ｙ（４５度Ｙ）継手の接合部のうち、分岐元側の接合部の長さであって、継手の分岐の中心から接合部の開口の端部までの長さを示す。分岐中心孔１３１から目盛り１３２−３までの長さは、４５ｍｍである。目盛り１３２−３には、呼び径が５０であるＶＵ  Ｙ（４５度Ｙ）継手の名称または名称に応じた記号および呼び径を示す「５０Ｙ」が表記されている。
【００６４】
目盛り１３２−４は、呼び径が７５であるＶＵ  ４５Ｌ（４５度エルボ）継手の接合部のうちの、元側（曲がる前側）の接合部の長さであって、継手の曲がりの中心から接合部の開口の端部までの長さを示す。分岐中心孔１３１から目盛り１３２−４までの長さは、６５ｍｍである。目盛り１３２−４には、呼び径が７５であるＶＵ  ４５Ｌ（４５度エルボ）継手の名称または名称に応じた記号および呼び径を示す「７５  ４５°」が表記されている。
【００６５】
目盛り１３２−５は、呼び径が７５であるＶＵ  Ｙ（４５度Ｙ）継手の接合部のうち、分岐元側の接合部の長さであって、継手の分岐の中心から接合部の開口の端部までの長さを示す。分岐中心孔１３１から目盛り１３２−５までの長さは、６６ｍｍである。目盛り１３２−５には、呼び径が７５であるＶＵ  Ｙ（４５度Ｙ）継手の名称または名称に応じた記号および呼び径を示す「７５Ｙ」が表記されている。
【００６６】
目盛り１３２−６は、呼び径が１００×７５であるＶＵ  Ｙ（４５度Ｙ）継手の接合部のうち、分岐元側の接合部の長さであって、継手の分岐の中心から接合部の開口の端部までの長さを示す。分岐中心孔１３１から目盛り１３２−６までの長さは、６９ｍｍである。目盛り１３２−６には、呼び径が１００×７５であるＶＵ  Ｙ（４５度Ｙ）継手の名称または名称に応じた記号および呼び径を示す「１００×７５Ｙ」が表記されている。
【００６７】
目盛り１３２−７は、呼び径が１００であるＶＵ  ４５Ｌ（４５度エルボ）継手の接合部のうちの、元側（曲がる前側）の接合部の長さであって、継手の曲がりの中心から接合部の開口の端部までの長さを示す。分岐中心孔１３１から目盛り１３２−７までの長さは、８０ｍｍである。目盛り１３２−７には、呼び径が１００であるＶＵ  ４５Ｌ（４５度エルボ）継手の名称または名称に応じた記号および呼び径を示す「１００  ４５°」が表記されている。
【００６８】
目盛り１３２−８は、呼び径が１００であるＶＵ  Ｙ（４５度Ｙ）継手の接合部のうち、分岐元側の接合部の長さであって、継手の分岐の中心から接合部の開口の端部までの長さを示す。分岐中心孔１３１から目盛り１３２−８までの長さは、８２ｍｍである。目盛り１３２−８には、呼び径が１００であるＶＵ  Ｙ（４５度Ｙ）継手の名称または名称に応じた記号および呼び径を示す「１００Ｙ」が表記されている。
【００６９】
目盛り１３３−１乃至目盛り１３３−６は、分岐中心孔１３１の前側に設けられている。
【００７０】
目盛り１３３−１は、呼び径が５０であるＶＵ  Ｙ（４５度Ｙ）継手の接合部のうち、分岐元につなげられる接合部に直線的につながる接合部の長さであって、継手の分岐の中心から接合部の開口の端部までの長さを示す。分岐中心孔１３１から目盛り１３３−１までの長さは、９７ｍｍである。目盛り１３３−１には、呼び径が５０であるＶＵ  Ｙ（４５度Ｙ）継手の名称または名称に応じた記号および呼び径を示す「５０Ｙ」が表記されている。
【００７１】
目盛り１３３−２は、呼び径が７５×５０であるＶＵ  Ｙ（４５度Ｙ）継手の接合部のうち、分岐元につなげられる接合部に直線的につながる接合部の長さであって、継手の分岐の中心から接合部の開口の端部までの長さを示す。分岐中心孔１３１から目盛り１３３−２までの長さは、１２６ｍｍである。目盛り１３３−２には、呼び径が７５×５０であるＶＵ  Ｙ（４５度Ｙ）継手の名称または名称に応じた記号および呼び径を示す「７５×５０Ｙ」が表記されている。
【００７２】
目盛り１３３−３は、呼び径が７５であるＶＵ  Ｙ（４５度Ｙ）継手の接合部のうち、分岐元につなげられる接合部に直線的につながる接合部の長さであって、継手の分岐の中心から接合部の開口の端部までの長さを示す。分岐中心孔１３１から目盛り１３３−３までの長さは、１４６ｍｍである。目盛り１３３−３には、呼び径が７５であるＶＵ  Ｙ（４５度Ｙ）継手の名称または名称に応じた記号および呼び径を示す「７５Ｙ」が表記されている。
【００７３】
目盛り１３３−４は、呼び径が１００×５０であるＶＵ  Ｙ（４５度Ｙ）継手の接合部のうち、分岐元につなげられる接合部に直線的につながる接合部の長さであって、継手の分岐の中心から接合部の開口の端部までの長さを示す。分岐中心孔１３１から目盛り１３３−４までの長さは、１４８ｍｍである。目盛り１３３−４には、呼び径が１００×５０であるＶＵ  Ｙ（４５度Ｙ）継手の名称または名称に応じた記号および呼び径を示す「１００×５０Ｙ」が表記されている。
【００７４】
目盛り１３３−５は、呼び径が１００×７５であるＶＵ  Ｙ（４５度Ｙ）継手の接合部のうち、分岐元につなげられる接合部に直線的につながる接合部の長さであって、継手の分岐の中心から接合部の開口の端部までの長さを示す。分岐中心孔１３１から目盛り１３３−５までの長さは、１６８ｍｍである。目盛り１３３−５には、呼び径が１００×７５であるＶＵ  Ｙ（４５度Ｙ）継手の名称または名称に応じた記号および呼び径を示す「１００×７５Ｙ」が表記されている。
【００７５】
目盛り１３３−６は、呼び径が１００であるＶＵ  Ｙ（４５度Ｙ）継手の接合部のうち、分岐元につなげられる接合部に直線的につながる接合部の長さであって、継手の分岐の中心から接合部の開口の端部までの長さを示す。分岐中心孔１３１から目盛り１３３−６までの長さは、１８４ｍｍである。目盛り１３３−６には、呼び径が１００であるＶＵ  Ｙ（４５度Ｙ）継手の名称または名称に応じた記号および呼び径を示す「１００Ｙ」が表記されている。
【００７６】
物差し１０１には、直線１２２上に、目盛り１３４−１乃至目盛り１３４−９が設けられている。目盛り１３４−１乃至目盛り１３４−９は、それぞれ、継手の分岐または曲がりの中心から接合部の開口の端部までの長さを示す。すなわち、分岐中心孔１３１から目盛り１３４−１乃至目盛り１３４−９までのそれぞれの長さは、継手の規格ごとの、継手の分岐または曲がりの中心から接合部の開口の端部までの長さと同じである。
【００７７】
目盛り１３４−１乃至目盛り１３４−９は、それぞれ、板状の物差し１０１の上面と底面とを貫通する円形の孔である。目盛り１３４−１乃至目盛り１３４−９のそれぞれの径は、床や壁などのマーカーなどで印をつけることで、継手の接合部の開口の端部を示す印を正確な位置につけることができるように、３乃至４ｍｍとされている。
【００７８】
目盛り１３４−１乃至目盛り１３４−９は、分岐中心孔１３１の右前側に設けられている。
【００７９】
目盛り１３４−１は、呼び径が５０であるＶＵ  ４５Ｌ（４５度エルボ）継手の接合部のうちの、元側から曲がった側の接合部の長さであって、継手の曲がりの中心から接合部の開口の端部までの長さを示す。分岐中心孔１３１から目盛り１３４−１までの長さは、４３ｍｍである。目盛り１３４−１には、呼び径が５０であるＶＵ  ４５Ｌ（４５度エルボ）継手の名称または名称に応じた記号および呼び径を示す「５０  ４５°」が表記されている。
【００８０】
目盛り１３４−２は、呼び径が７５であるＶＵ  ４５Ｌ（４５度エルボ）継手の接合部のうちの、元側から曲がった側の接合部の長さであって、継手の曲がりの中心から接合部の開口の端部までの長さを示す。分岐中心孔１３１から目盛り１３４−２までの長さは、６５ｍｍである。目盛り１３４−２には、呼び径が７５であるＶＵ  ４５Ｌ（４５度エルボ）継手の名称または名称に応じた記号および呼び径を示す「７５  ４５°」が表記されている。
【００８１】
目盛り１３４−３は、呼び径が１００であるＶＵ  ４５Ｌ（４５度エルボ）継手の接合部のうちの、元側から曲がった側の接合部の長さであって、継手の曲がりの中心から接合部の開口の端部までの長さを示す。分岐中心孔１３１から目盛り１３４−３までの長さは、８０ｍｍである。目盛り１３４−３には、呼び径が１００であるＶＵ  ４５Ｌ（４５度エルボ）継手の名称または名称に応じた記号および呼び径を示す「１００  ４５°」が表記されている。
【００８２】
目盛り１３４−４は、呼び径が５０であるＶＵ  Ｙ（４５度Ｙ）継手の接合部のうち、分岐元側から４５度に分岐する側の接合部の長さであって、継手の分岐の中心から接合部の開口の端部までの長さを示す。分岐中心孔１３１から目盛り１３４−４までの長さは、１０３ｍｍである。目盛り１３４−４には、呼び径が５０であるＶＵ  Ｙ（４５度Ｙ）継手の名称または名称に応じた記号および呼び径を示す「５０Ｙ」が表記されている。
【００８３】
目盛り１３４−５は、呼び径が７５×５０であるＶＵ  Ｙ（４５度Ｙ）継手の接合部のうち、分岐元側から４５度に分岐する側の接合部の長さであって、継手の分岐の中心から接合部の開口の端部までの長さを示す。また、分岐中心孔１３１から目盛り１３４−５までの長さは、１２３ｍｍである。目盛り１３４−５には、呼び径が７５×５０であるＶＵ  Ｙ（４５度Ｙ）継手の名称または名称に応じた記号および呼び径を示す「７５×５０Ｙ」が表記されている。
【００８４】
目盛り１３４−６は、呼び径が１００×５０であるＶＵ  Ｙ（４５度Ｙ）継手の接合部のうち、分岐元側から４５度に分岐する側の接合部の長さであって、継手の分岐の中心から接合部の開口の端部までの長さを示す。分岐中心孔１３１から目盛り１３４−６までの長さは、１４３ｍｍである。目盛り１３４−６には、呼び径が１００×５０であるＶＵ  Ｙ（４５度Ｙ）継手の名称または名称に応じた記号および呼び径を示す「１００×５０Ｙ」が表記されている。
【００８５】
目盛り１３４−７は、呼び径が７５であるＶＵ  Ｙ（４５度Ｙ）継手の接合部のうち、分岐元側から４５度に分岐する側の接合部の長さであって、継手の分岐の中心から接合部の開口の端部までの長さを示す。分岐中心孔１３１から目盛り１３４−７までの長さは、１５５ｍｍである。目盛り１３４−７には、呼び径が７５であるＶＵ  Ｙ（４５度Ｙ）継手の名称または名称に応じた記号および呼び径を示す「７５Ｙ」が表記されている。
【００８６】
目盛り１３４−８は、呼び径が１００×７５であるＶＵ  Ｙ（４５度Ｙ）継手の接合部のうち、分岐元側から４５度に分岐する側の接合部の長さであって、継手の分岐の中心から接合部の開口の端部までの長さを示す。分岐中心孔１３１から目盛り１３４−８までの長さは、１７２ｍｍである。目盛り１３４−８には、呼び径が１００×７５であるＶＵ  Ｙ（４５度Ｙ）継手の名称または名称に応じた記号および呼び径を示す「１００×７５Ｙ」が表記されている。
【００８７】
目盛り１３４−９は、呼び径が１００であるＶＵ  Ｙ（４５度Ｙ）継手の接合部のうち、分岐元側から４５度に分岐する側の接合部の長さであって、継手の分岐の中心から接合部の開口の端部までの長さを示す。分岐中心孔１３１から目盛り１３４−９までの長さは、１９４ｍｍである。目盛り１３４−９には、呼び径が１００であるＶＵ  Ｙ（４５度Ｙ）継手の名称または名称に応じた記号および呼び径を示す「１００Ｙ」が表記されている。
【００８８】
接合部に直管が差し込まれる長さは、呼び径が５０であれば２５ｍｍ、呼び径が７５であれば４０ｍｍ、呼び径が１００であれば５０ｍｍと呼び径により決まっているので、接合部の開口の端部の位置がわかれば、簡単に接合される直管の長さを求めることができる。
【００８９】
目盛り１３２−１乃至目盛り１３２−８、目盛り１３３−１乃至目盛り１３３−６および目盛り１３４−１乃至目盛り１３４−９は、継手の分岐または曲がりの中心から接合部の開口の端部までの長さ応じた位置に設けられていると説明したが、目盛りを継手の分岐または曲がりの中心から接合部の内側の端部までの長さに応じた位置に設けることもできる。
【００９０】
また、物差し１０１の上面側に、直線１２１および直線１２２に加えて、直線１２７を表すこともできる。直線１２７は、直線１２１と直線１２２との交点で、直線１２１と直線１２２とに交わる。直線１２７は、物差し１０１の左側側面に対して、直交する。まず、使用者は、直線１２７に沿ってレーザー光を射出するようにレーザー墨出し部１０３を変位させる。そして、接合元に直管が接合されて、継手がその直管に接合された場合、使用者は、継手の分岐する側の接合部または継手の元側から曲がった側の接合部の開口の端部に、物差し１０１の左側側面を押し当てて、レーザー墨出し部１０３から射出されるレーザー光が目盛り１３４−１乃至目盛り１３４−９のいずれかによって付けられた印を通るように、測定器９１を配置する。さらに、使用者は、レーザー光が指している位置の上に、直管を固定するためのバンドを止める位置を示す印をつける。このように、継手の分岐する側の接合部または継手の元側から曲がった側の接合部に接合される直管の位置を簡単に墨出しすることができる。
【００９１】
図５は、物差し１０１の他の例の詳細を説明する。図５において、図４に示す場合と同様の部分には同一の符号を付してあり、その説明は省略する。
【００９２】
物差し１０１には、直線１２１上に、目盛り１５２−１乃至目盛り１５２−８および目盛り１５３−１乃至目盛り１５３−６が設けられている。目盛り１５２−１乃至目盛り１５２−８および目盛り１５３−１乃至目盛り１５３−６は、それぞれ、継手の分岐または曲がりの中心から接合部の内側の端部までの長さを示す。
【００９３】
目盛り１５２−１乃至目盛り１５２−８および目盛り１５３−１乃至目盛り１５３−６は、それぞれ、板状の物差し１０１の上面と底面とを貫通する円形の孔である。目盛り１５２−１乃至目盛り１５２−８および目盛り１５３−１乃至目盛り１５３−６のそれぞれの径は、床や壁などのマーカーなどで印をつけることで、継手の接合部の開口の端部を示す印を正確な位置につけることができるように、３乃至４ｍｍとされている。
【００９４】
目盛り１５２−１は、分岐中心孔１３１の前側に設けられている。目盛り１５２−２乃至目盛り１５２−８は、分岐中心孔１３１の後側に設けられている。
【００９５】
目盛り１５２−１は、呼び径が１００×５０であるＶＵ  Ｙ（４５度Ｙ）継手の接合部のうち、分岐元側の接合部の長さであって、継手の分岐から接合部の内側の端部までの長さを示す。分岐中心孔１３１から目盛り１５２−１までの長さは、８ｍｍである。呼び径が１００×５０であるＶＵ  Ｙ（４５度Ｙ）継手の接合部のうち、分岐元側の接合部の長さであって、継手の分岐から接合部の内側の端部までの長さは、−８ｍｍとされているので、目盛り１５２−１は、分岐中心孔１３１に対して前側に８ｍｍの位置に設けられている。目盛り１５２−１には、呼び径が１００×５０であるＶＵ  Ｙ（４５度Ｙ）継手の名称または名称に応じた記号および呼び径を示す「１００×５０Ｙ」が表記されている。
【００９６】
目盛り１５２−２は、呼び径が７５×５０であるＶＵ  Ｙ（４５度Ｙ）継手の接合部のうち、分岐元側の接合部の長さであって、継手の分岐から接合部の内側の端部までの長さを示す。分岐中心孔１３１から目盛り１５２−２までの長さは、３ｍｍである。目盛り１５２−２には、呼び径が７５×５０であるＶＵ  Ｙ（４５度Ｙ）継手の名称または名称に応じた記号および呼び径を示す「７５×５０Ｙ」が表記されている。
【００９７】
目盛り１５２−３は、呼び径が５０であるＶＵ  ４５Ｌ（４５度エルボ）継手の接合部のうちの、元側（曲がる前側）の接合部の長さであって、継手の曲がりの中心から接合部の内側の端部までの長さを示す。分岐中心孔１３１から目盛り１５２−３までの長さは、１８ｍｍである。目盛り１５２−３には、呼び径が５０であるＶＵ  ４５Ｌ（４５度エルボ）継手の名称または名称に応じた記号および呼び径を示す「５０  ４５°」が表記されている。
【００９８】
目盛り１５２−４は、呼び径が１００×７５であるＶＵ  Ｙ（４５度Ｙ）継手の接合部のうち、分岐元側の接合部の長さであって、継手の分岐から接合部の内側の端部までの長さを示す。分岐中心孔１３１から目盛り１５２−４までの長さは、１９ｍｍである。目盛り１５２−４には、呼び径が１００×７５であるＶＵ  Ｙ（４５度Ｙ）継手の名称または名称に応じた記号および呼び径を示す「１００×７５Ｙ」が表記されている。
【００９９】
目盛り１５２−５は、呼び径が５０であるＶＵ  Ｙ（４５度Ｙ）継手の接合部のうち、分岐元側の接合部の長さであって、継手の分岐から接合部の内側の端部までの長さを示す。分岐中心孔１３１から目盛り１５２−５までの長さは、２０ｍｍである。目盛り１５２−５には、呼び径が５０であるＶＵ  Ｙ（４５度Ｙ）継手の名称または名称に応じた記号および呼び径を示す「５０Ｙ」が表記されている。
【０１００】
目盛り１５２−６は、呼び径が７５であるＶＵ  ４５Ｌ（４５度エルボ）継手の接合部のうちの、元側（曲がる前側）の接合部の長さであって、継手の曲がりの中心から接合部の内側の端部までの長さを示す。分岐中心孔１３１から目盛り１５２−６までの長さは、２５ｍｍである。目盛り１５２−６には、呼び径が７５であるＶＵ  ４５Ｌ（４５度エルボ）継手の名称または名称に応じた記号および呼び径を示す「７５  ４５°」が表記されている。
【０１０１】
目盛り１５２−７は、呼び径が７５であるＶＵ  Ｙ（４５度Ｙ）継手の接合部のうち、分岐元側の接合部の長さであって、継手の分岐から接合部の内側の端部までの長さを示す。分岐中心孔１３１から目盛り１５２−７までの長さは、２６ｍｍである。目盛り１５２−７には、呼び径が７５であるＶＵ  Ｙ（４５度Ｙ）継手の名称または名称に応じた記号および呼び径を示す「７５Ｙ」が表記されている。
【０１０２】
目盛り１５２−８は、呼び径が１００であるＶＵ  ４５Ｌ（４５度エルボ）継手の接合部のうちの、元側（曲がる前側）の接合部の長さであって、継手の曲がりの中心から接合部の内側の端部までの長さを示す。分岐中心孔１３１から目盛り１５２−８までの長さは、３０ｍｍである。目盛り１５２−８には、呼び径が１００であるＶＵ  ４５Ｌ（４５度エルボ）継手の名称または名称に応じた記号および呼び径を示す「１００  ４５°」が表記されている。
【０１０３】
目盛り１５２−９は、呼び径が１００であるＶＵ  Ｙ（４５度Ｙ）継手の接合部のうち、分岐元側の接合部の長さであって、継手の分岐から接合部の内側の端部までの長さを示す。分岐中心孔１３１から目盛り１５２−９までの長さは、３２ｍｍである。目盛り１５２−９には、呼び径が１００であるＶＵ  Ｙ（４５度Ｙ）継手の名称または名称に応じた記号および呼び径を示す「１００Ｙ」が表記されている。
【０１０４】
目盛り１５３−１乃至目盛り１５３−６は、分岐中心孔１３１の前側に設けられている。
【０１０５】
目盛り１５３−１は、呼び径が５０であるＶＵ  Ｙ（４５度Ｙ）継手の接合部のうち、分岐元につなげられる接合部に直線的につながる接合部の長さであって、継手の分岐から接合部の内側の端部までの長さを示す。分岐中心孔１３１から目盛り１５３−１までの長さは、７２ｍｍである。目盛り１５３−１には、呼び径が５０であるＶＵ  Ｙ（４５度Ｙ）継手の名称または名称に応じた記号および呼び径を示す「５０Ｙ」が表記されている。
【０１０６】
目盛り１５３−２は、呼び径が７５×５０であるＶＵ  Ｙ（４５度Ｙ）継手の接合部のうち、分岐元につなげられる接合部に直線的につながる接合部の長さであって、継手の分岐から接合部の内側の端部までの長さを示す。分岐中心孔１３１から目盛り１５３−２までの長さは、８６ｍｍである。目盛り１５３−２には、呼び径が７５×５０であるＶＵ  Ｙ（４５度Ｙ）継手の名称または名称に応じた記号および呼び径を示す「７５×５０Ｙ」が表記されている。
【０１０７】
目盛り１５３−３は、呼び径が１００×５０であるＶＵ  Ｙ（４５度Ｙ）継手の接合部のうち、分岐元につなげられる接合部に直線的につながる接合部の長さであって、継手の分岐から接合部の内側の端部までの長さを示す。分岐中心孔１３１から目盛り１５３−３までの長さは、９８ｍｍである。目盛り１５３−３には、呼び径が１００×５０であるＶＵ  Ｙ（４５度Ｙ）継手の名称または名称に応じた記号および呼び径を示す「１００×５０Ｙ」が表記されている。
【０１０８】
目盛り１５３−４は、呼び径が７５であるＶＵ  Ｙ（４５度Ｙ）継手の接合部のうち、分岐元につなげられる接合部に直線的につながる接合部の長さであって、継手の分岐から接合部の内側の端部までの長さを示す。分岐中心孔１３１から目盛り１５３−４までの長さは、１０６ｍｍである。目盛り１５３−４には、呼び径が７５であるＶＵ  Ｙ（４５度Ｙ）継手の名称または名称に応じた記号および呼び径を示す「７５Ｙ」が表記されている。
【０１０９】
目盛り１５３−５は、呼び径が１００×７５であるＶＵ  Ｙ（４５度Ｙ）継手の接合部のうち、分岐元につなげられる接合部に直線的につながる接合部の長さであって、継手の分岐から接合部の内側の端部までの長さを示す。分岐中心孔１３１から目盛り１５３−５までの長さは、１１８ｍｍである。目盛り１５３−５には、呼び径が１００×７５であるＶＵ  Ｙ（４５度Ｙ）継手の名称または名称に応じた記号および呼び径を示す「１００×７５Ｙ」が表記されている。
【０１１０】
目盛り１５３−６は、呼び径が１００であるＶＵ  Ｙ（４５度Ｙ）継手の接合部のうち、分岐元につなげられる接合部に直線的につながる接合部の長さであって、継手の分岐から接合部の内側の端部までの長さを示す。分岐中心孔１３１から目盛り１５３−６までの長さは、１３４ｍｍである。目盛り１５３−６には、呼び径が１００であるＶＵ  Ｙ（４５度Ｙ）継手の名称または名称に応じた記号および呼び径を示す「１００Ｙ」が表記されている。
【０１１１】
物差し１０１には、直線１２２上に、目盛り１５４−１乃至目盛り１５４−９が設けられている。目盛り１５４−１乃至目盛り１５４−９は、それぞれ、継手の分岐または曲がりの中心から接合部の内側の端部までの長さを示す。
【０１１２】
目盛り１５４−１乃至目盛り１５４−９は、それぞれ、板状の物差し１０１の上面と底面とを貫通する円形の孔である。目盛り１５４−１乃至目盛り１５４−９のそれぞれの径は、床や壁などのマーカーなどで印をつけることで、継手の接合部の開口の端部を示す印を正確な位置につけることができるように、３乃至４ｍｍとされている。
【０１１３】
目盛り１５４−１乃至目盛り１５４−９は、分岐中心孔１３１の右前側に設けられている。
【０１１４】
目盛り１５４−１は、呼び径が５０であるＶＵ  ４５Ｌ（４５度エルボ）継手の接合部のうちの、元側から曲がった側の接合部の長さであって、継手の曲がりの中心から接合部の内側の端部までの長さを示す。分岐中心孔１３１から目盛り１５４−１までの長さは、１８ｍｍである。目盛り１５４−１には、呼び径が５０であるＶＵ  ４５Ｌ（４５度エルボ）継手の名称または名称に応じた記号および呼び径を示す「５０  ４５°」が表記されている。
【０１１５】
目盛り１５４−２は、呼び径が７５であるＶＵ  ４５Ｌ（４５度エルボ）継手の接合部のうちの、元側から曲がった側の接合部の長さであって、継手の曲がりの中心から接合部の内側の端部までの長さを示す。分岐中心孔１３１から目盛り１５４−２までの長さは、２５ｍｍである。目盛り１５４−２には、呼び径が７５であるＶＵ  ４５Ｌ（４５度エルボ）継手の名称または名称に応じた記号および呼び径を示す「７５  ４５°」が表記されている。
【０１１６】
目盛り１５４−３は、呼び径が１００であるＶＵ  ４５Ｌ（４５度エルボ）継手の接合部のうちの、元側から曲がった側の接合部の長さであって、継手の曲がりの中心から接合部の内側の端部までの長さを示す。分岐中心孔１３１から目盛り１５４−３までの長さは、３０ｍｍである。目盛り１５４−３には、呼び径が１００であるＶＵ  ４５Ｌ（４５度エルボ）継手の名称または名称に応じた記号および呼び径を示す「１００  ４５°」が表記されている。
【０１１７】
目盛り１５４−４は、呼び径が５０であるＶＵ  Ｙ（４５度Ｙ）継手の接合部のうち、分岐元側から４５度に分岐する側の接合部の長さであって、継手の分岐から接合部の内側の端部までの長さを示す。分岐中心孔１３１から目盛り１５４−４までの長さは、７８ｍｍである。目盛り１５４−４には、呼び径が５０であるＶＵ  Ｙ（４５度Ｙ）継手の名称または名称に応じた記号および呼び径を示す「５０Ｙ」が表記されている。
【０１１８】
目盛り１５４−５は、呼び径が７５×５０であるＶＵ  Ｙ（４５度Ｙ）継手の接合部のうち、分岐元側から４５度に分岐する側の接合部の長さであって、継手の分岐から接合部の内側の端部までの長さを示す。また、分岐中心孔１３１から目盛り１５４−５までの長さは、９８ｍｍである。目盛り１５４−５には、呼び径が７５×５０であるＶＵ  Ｙ（４５度Ｙ）継手の名称または名称に応じた記号および呼び径を示す「７５×５０Ｙ」が表記されている。
【０１１９】
目盛り１５４−６は、呼び径が７５であるＶＵ  Ｙ（４５度Ｙ）継手の接合部のうち、分岐元側から４５度に分岐する側の接合部の長さであって、継手の分岐から接合部の内側の端部までの長さを示す。分岐中心孔１３１から目盛り１５４−６までの長さは、１１５ｍｍである。目盛り１５４−６には、呼び径が７５であるＶＵ  Ｙ（４５度Ｙ）継手の名称または名称に応じた記号および呼び径を示す「７５Ｙ」が表記されている。
【０１２０】
目盛り１５４−７は、呼び径が１００×５０であるＶＵ  Ｙ（４５度Ｙ）継手の接合部のうち、分岐元側から４５度に分岐する側の接合部の長さであって、継手の分岐から接合部の内側の端部までの長さを示す。分岐中心孔１３１から目盛り１５４−７までの長さは、１１８ｍｍである。目盛り１５４−７には、呼び径が１００×５０であるＶＵ  Ｙ（４５度Ｙ）継手の名称または名称に応じた記号および呼び径を示す「１００×５０Ｙ」が表記されている。
【０１２１】
目盛り１５４−８は、呼び径が１００×７５であるＶＵ  Ｙ（４５度Ｙ）継手の接合部のうち、分岐元側から４５度に分岐する側の接合部の長さであって、継手の分岐から接合部の内側の端部までの長さを示す。分岐中心孔１３１から目盛り１５４−８までの長さは、１３２ｍｍである。目盛り１５４−８には、呼び径が１００×７５であるＶＵ  Ｙ（４５度Ｙ）継手の名称または名称に応じた記号および呼び径を示す「１００×７５Ｙ」が表記されている。
【０１２２】
目盛り１５４−９は、呼び径が１００であるＶＵ  Ｙ（４５度Ｙ）継手の接合部のうち、分岐元側から４５度に分岐する側の接合部の長さであって、継手の分岐から接合部の内側の端部までの長さを示す。分岐中心孔１３１から目盛り１５４−９までの長さは、１４４ｍｍである。目盛り１５４−９には、呼び径が１００であるＶＵ  Ｙ（４５度Ｙ）継手の名称または名称に応じた記号および呼び径を示す「１００Ｙ」が表記されている。
【０１２３】
なお、目盛り１３２−１乃至目盛り１３２−８、目盛り１３３−１乃至目盛り１３３−６および目盛り１３４−１乃至目盛り１３４−９のうち、孔径より近接している複数のものを１つにまとめてしまっても良い。同様に、目盛り１５２−１乃至目盛り１５２−９、目盛り１５３−１乃至目盛り１５３−６および目盛り１５４−１乃至目盛り１５４−９のうち、孔径より近接している複数のものを１つにまとめてしまっても良い。
【０１２４】
なお、物差し１０１は、レーザー墨出し部１０２およびレーザー墨出し部１０を取り外して、他のレーザー墨出し器と共に使用することもできる。図６は、物差し１０１およびレーザー墨出し器１７１による計測の例を示す図である。レーザー墨出し器１７１からのレーザー光が直線１２１に沿って射出するようにレーザー墨出し器１７１を物差し１０１に配置し、レーザー墨出し器１７１からのレーザー光が、接合元を通る直線上の接合先である第１接合先の中心を指すように物差し１０１が配置される。そして、レーザー墨出し器１７１からのレーザー光が直線１２２に沿って射出するようにレーザー墨出し器１７１を物差し１０１に配置し、レーザー墨出し器１７１からのレーザー光が、４５度に分岐する接合先である第２接合先の中心を指すように物差し１０１の位置が修正される。この位置で、物差し１０１に形成されている分岐中心孔１３１によって、４５度に分岐する継手の分岐の中心点が求められる。さらに、物差し１０１の目盛り１３２−１乃至目盛り１３２−８のいずれかの位置および接合元の位置から、接合元および継手に接合される直管の長さが求められ、物差し１０１の目盛り１３３−１乃至目盛り１３３−６のいずれかの位置および第１接合先の位置から、第１接合先および継手に接合される直管の長さが求められ、物差し１０１の目盛り１３４−１乃至目盛り１３４−９のいずれかの位置および第２接合先の位置から、第２接合先および継手に接合される直管の長さが求められる。
【０１２５】
次に、測定器９１を用いて、４５度に分岐する継手の位置およびその継手に接合される直管の長さを求める手順について説明する。図７は、測定の手順を示すフローチャートである。
【０１２６】
ステップＳ１１において、使用者は、接合元を通る直線上の接合先である第１接合先と、４５度に分岐する接合先である第２接合先とを確認する。ステップＳ１２において、使用者は、レーザー−墨出部１０２からのレーザー光が第１接合先の中心を指し、レーザー墨出部１０３からのレーザー光が第２接合先の中心を指す位置に測定器９１を配置する。
【０１２７】
ステップＳ１３において、使用者は、測定器９１の分岐中心孔１３１によって、継手の分岐の中心点を求める。使用者は、測定器９１の分岐中心孔１３１によって、分岐の中心点に、壁や床などに印をつける。
【０１２８】
ステップＳ１４において、使用者は、測定器９１の目盛り１３２−１乃至目盛り１３２−８（目盛り１３２−４および目盛り１３２−７を除く）のいずれかによって、接合元に接合する直管の継手における接合位置を求める。例えば、呼び径が１００×７５であるＶＵ  Ｙ（４５度Ｙ）継手を用いる場合、使用者は、呼び径が１００×７５であるＶＵ  Ｙ（４５度Ｙ）継手の接合部のうち、分岐元側の接合部の長さであって、継手の分岐の中心から接合部の開口の端部までの長さを示す目盛り１３２−６によって、接合元に接合する直管の継手における接合位置を求める。
【０１２９】
ステップＳ１５において、使用者は、測定器９１の目盛り１３３−１乃至目盛り１３３−６のいずれかによって、第１接合先に接合する直管の継手における接合位置を求める。例えば、呼び径が１００×７５であるＶＵ  Ｙ（４５度Ｙ）継手を用いる場合、使用者は、呼び径が１００×７５であるＶＵ  Ｙ（４５度Ｙ）継手の接合部のうち、分岐元側から接合先側に直線状につながる接合部の長さであって、継手の分岐の中心から接合部の開口の端部までの長さを示す目盛り１３３−５によって、第１接合先に接合する直管の継手における接合位置を求める。
【０１３０】
ステップＳ１６において、使用者は、測定器９１の目盛り１３４−１乃至目盛り１３４−９のいずれかによって、第２接合先に接合する直管の継手における接合位置を求める。例えば、呼び径が１００×７５であるＶＵ  Ｙ（４５度Ｙ）継手を用いる場合、使用者は、呼び径が１００×７５であるＶＵ  Ｙ（４５度Ｙ）継手の接合部のうち、分岐元側から４５度に分岐する側の接合部の長さであって、継手の分岐の中心から接合部の開口の端部までの長さを示す目盛り１３４−８によって、第２接合先に接合する直管の継手における接合位置を求める。
【０１３１】
ステップＳ１７において、使用者は、接合元の位置と、ステップＳ１４で求められた接合元に接合する直管の接合位置とから継手と接合元とに接合する直管の長さを求める。
【０１３２】
ステップＳ１８において、使用者は、第１接合先の位置と、ステップＳ１５で求められた第１接合先に接合する直管の接合位置とから継手と第１接合先とに接合する直管の長さを求める。
【０１３３】
ステップＳ１９において、使用者は、第２接合先の位置と、ステップＳ１６で求められた第２接合先に接合する直管の接合位置とから継手と第２接合先とに接合する直管の長さを求めて、測定は終了する。
【０１３４】
なお、物差し１０１およびレーザー墨出し器１７１による、４５度に分岐する継手の位置およびその継手に接合される直管の長さの計測の手順は、図７に示す手順と同様なので、その説明は省略する。また、図５に示す物差し１０１の場合も同様なので、その説明は省略する。
【０１３５】
このように、測定器９１または物差し１０１によれば、施工の現場において、複雑な計算を必要とせず、より簡単に、より正確に、４５度に分岐する継手の位置およびその継手に接合される直管の長さを求めることができる。
【０１３６】
次に、測定器９１を用いて、４５度に曲がる継手の位置およびその継手に接合される直管の長さを求める手順について説明する。図８は、測定の手順を示すフローチャートである。
【０１３７】
ステップＳ２１において、使用者は、接合元を通る直線上の仮想的な接合位置である基準位置を決める。ステップＳ２２において、使用者は、４５度に曲がった先の接合先を確認する。
【０１３８】
ステップＳ２３において、使用者は、レーザー−墨出部１０２からのレーザー光が基準位置を指し、レーザー墨出部１０３からのレーザー光が接合先の中心を指す位置に測定器９１を配置する。ステップＳ２４において、使用者は、測定器９１の分岐中心孔１３１によって、継手の曲がりの中心点を求める。使用者は、測定器９１の分岐中心孔１３１によって、分岐の中心点に、壁や床などに印をつける。
【０１３９】
ステップＳ２５において、使用者は、測定器９１の目盛り１３２−２、１３２−４または１３２−７のいずれかによって、接合元に接合する直管の継手における接合位置を求める。例えば、呼び径が７５であるＶＵ  ４５Ｌ（４５度エルボ）継手を用いる場合、使用者は、呼び径が７５であるＶＵ  ４５Ｌ（４５度エルボ）継手の接合部のうちの、元側（曲がる前側）の接合部の長さであって、継手の曲がりの中心から接合部の開口の端部までの長さを示す目盛り１３２−４によって、接合元に接合する直管の継手における接合位置を求める。
【０１４０】
ステップＳ２６において、使用者は、測定器９１の目盛り１３４−１乃至１３２−３のいずれかによって、接合先に接合する直管の継手における接合位置を求める。例えば、呼び径が７５であるＶＵ  ４５Ｌ（４５度エルボ）継手を用いる場合、使用者は、呼び径が７５であるＶＵ  ４５Ｌ（４５度エルボ）継手の接合部のうちの、元側から曲がった側の接合部の長さであって、継手の曲がりの中心から接合部の開口の端部までの長さを示す目盛り１３４−２によって、接合先に接合する直管の継手における接合位置を求める。
【０１４１】
ステップＳ２７において、使用者は、接合元の位置と接合元に接合する直管の接合位置とから継手と接合元とに接合する直管の長さを求める。
【０１４２】
ステップＳ２８において、使用者は、接合先の位置と接合先に接合する直管の接合位置とから継手と接合先とに接合する直管の長さを求めて、測定は終了する。
【０１４３】
なお、物差し１０１およびレーザー墨出し器１７１による、４５度に曲がる継手の位置およびその継手に接合される直管の長さの計測の手順は、図８に示す手順と同様なので、その説明は省略する。また、図５に示す物差し１０１の場合も同様なので、その説明は省略する。
【０１４４】
このように、測定器９１または物差し１０１によれば、施工の現場において、複雑な計算を必要とせず、より簡単に、より正確に、４５度に曲がる継手の位置およびその継手に接合される直管の長さを求めることができる。
【０１４５】
なお、測定器９１は、物差し１０１、レーザー墨出し部１０２およびレーザー墨出し部１０３を含み構成されると説明したが、レーザー光を射出する部位を１つにすることもできる。
【０１４６】
図９は、本考案の一実施の形態の測定器９１の構成の他の例を示す上面図である。図２に示す場合と同様の部分には同一の符号を付してあり、その説明は省略する。レーザー墨出し部２０１は、物差し１０１に固定されているか、または着脱自在に装着されている。レーザー墨出し部２０１は、物差し１０１の上面側に表されている２本の直線のそれぞれに沿って２本のレーザー光を射出する。例えば、レーザー墨出し部２０１は、１つの光源からのレーザー光をハーフミラーやプリズムなどからなるビームスプリッタにより２つに分割して、プリズムやミラーなどによってレーザー光を屈曲させることにより、物差し１０１の上面側に表されている２本の直線のそれぞれに沿って２本のレーザー光を射出する。また、例えば、レーザー墨出し部２０１は、２つの光源を備えて、それぞれにレーザー光を射出することにより、物差し１０１の上面側に表されている２本の直線のそれぞれに沿って２本のレーザー光を射出する。
【０１４７】
以上のように、施工の現場において、複雑な計算を必要とせず、より簡単に、より正確に、４５度に分岐する継手や４５度に曲がる継手の位置およびその継手に接合される直管の長さを求めることができる。
【０１４８】
このように、図２に示される測定器９１は、板状に形成され、いずれか一方の面に直線１２１と直線１２１に４５度に交差する直線１２２とが表され、直線１２１および直線１２２の交点に分岐中心孔１３１が形成され、規格に定められている配管の継手であって、４５度に分岐するかまたは４５度に曲がる継手の分岐または曲がりの中心から接合部までの長さに応じた、分岐中心孔１３１からの距離にある位置であって、直線１２１上または直線１２２上の位置に目盛り１３２−１乃至目盛り１３２−８、目盛り１３３−１乃至目盛り１３３−６、および目盛り１３４−１乃至目盛り１３３−９が設けられている物差し１０１と、直線１２１に沿ってレーザー光を射出するレーザー墨出し部１０２と、直線１２２に沿ってレーザー光を射出するレーザー墨出し部１０３とを含む。
【０１４９】
図２に示される測定器９１においては、接合元と、接合元を通る直線上の接合先である第１接合先と、４５度に分岐する接合先である第２接合先とに４５度に分岐する継手および３本の直管で接合する場合、レーザー墨出し部１０２からのレーザー光が、接合元を通る直線上の接合先である第１接合先の中心を指し、レーザー墨出し部１０３からのレーザー光が、４５度に分岐する接合先である第２接合先の中心を指す位置に測定器９１を配置し、物差し１０１に形成されている、直線１２１および直線１２２の交点の分岐中心孔１３１によって、４５度に分岐する継手の分岐の中心点が求められる。そして、物差し１０１の目盛り１３２−１乃至目盛り１３２−８のいずれかの位置および接合元の位置から、接合元および継手に接合される直管の長さが求められ、物差し１０１の目盛り１３３−１乃至目盛り１３３−６のいずれかの位置および第１接合先の位置から、第１接合先および継手に接合される直管の長さが求められ、物差し１０１の目盛り１３４−１乃至目盛り１３３−９のいずれかの位置および第２接合先の位置から、第２接合先および継手に接合される直管の長さが求められる。このように、施工の現場において、複雑な計算を必要とせず、より簡単に、より正確に、４５度に分岐する継手の位置およびその継手に接合される直管の長さを求めることができる。
【０１５０】
また、接合元と接合先とを４５度に曲がる継手および２本の直管で接合する場合、レーザー墨出し部１０２からのレーザー光が、接合元を通る直線上の仮想的な接合位置である基準位置を指し、レーザー墨出し部１０３からのレーザー光が、接合先の中心を指す位置に測定器を配置し、物差し１０１に形成されている、直線１２１および直線１２２の交点の分岐中心孔１３１によって、４５度に曲がる継手の曲がりの中心点が求められる。そして、物差し１０１の目盛り１３２−１乃至目盛り１３２−８のいずれかの位置および接合元の位置から、接合元および継手に接合される直管の長さが求められ、物差し１０１の目盛り１３４−１乃至目盛り１３３−９のいずれかの位置および接合先の位置から、接合先および継手に接合される直管の長さが求められる。このように、施工の現場において、複雑な計算を必要とせず、より簡単に、より正確に、４５度に曲がる継手の位置およびその継手に接合される直管の長さを求めることができる。
【０１５１】
物差し１０１の目盛り１３２−１乃至目盛り１３２−８、目盛り１３３−１乃至目盛り１３３−６、および目盛り１３４−１乃至目盛り１３３−９を、配管の継手の分岐または曲がりの中心から接合部の開口の端部までの長さに応じた位置に設けることができる。または、物差し１０１の目盛り１５２−１乃至目盛り１５２−８、目盛り１５３−１乃至目盛り１５３−６および目盛り１５４−１乃至目盛り１５４−９を、配管の継手の分岐または曲がりの中心から接合部の内側の端部までの長さに応じた位置に設けることができる。物差し１０１の目盛り１５２−１乃至目盛り１５２−８、目盛り１５３−１乃至目盛り１５３−６および目盛り１５４−１乃至目盛り１５４−９を、継手の分岐または曲がりの中心から接合部の内側の端部までの長さに応じた位置に設けた場合には、その目盛りの指す位置が、継手に接合される直管の端部になるので、簡単にその継手に接合される直管の長さを求めることができる。また、物差し１０１の目盛り１３２−１乃至目盛り１３２−８、目盛り１３３−１乃至目盛り１３３−６、および目盛り１３４−１乃至目盛り１３３−９を、継手の分岐または曲がりの中心から接合部の開口の端部までの長さに応じた位置に設けた場合には、管の呼び径により接合部の長さは決められているので、管の呼び径に応じた長さを差し引けば、継手に接合される直管の端部の位置を求めることができ、簡単にその継手に接合される直管の長さを求めることができる。
【０１５２】
物差し１０１の目盛り１３２−１乃至目盛り１３２−８、目盛り１３３−１乃至目盛り１３３−６、および目盛り１３４−１乃至目盛り１３３−９並びに目盛り１５２−１乃至目盛り１５２−８、目盛り１５３−１乃至目盛り１５３−６および目盛り１５４−１乃至目盛り１５４−９には、配管の継手の名称または名称に応じた記号および呼び径を表記することができる。より簡単に、より正確に、使用しようとする継手に接合される直管の長さを求めることができる。
【０１５３】
物差し１０１の目盛り１３２−１乃至目盛り１３２−８、目盛り１３３−１乃至目盛り１３３−６、および目盛り１３４−１乃至目盛り１３３−９並びに目盛り１５２−１乃至目盛り１５２−８、目盛り１５３−１乃至目盛り１５３−６および目盛り１５４−１乃至目盛り１５４−９は、孔として形成することができる。孔を通して床や壁などのマーカーなどで印をつけることで、継手の接合部の開口の端部または継手の接合部の内側の端部を示す印を正確な位置につけることができる。
【０１５４】
物差し１０１を、光透過性の材料から形成することができる。物差し１０１を通して測定器９１をあてがっている床や壁などを確認することができるので、より容易に作業することができる。
【０１５５】
レーザー墨出し部１０２およびレーザー墨出し部１０３は、それぞれ、物差し１０１の厚さ方向に所定の幅でレーザー光を走査するレーザー墨出し器とすることができる。物差し１０１の厚さ方向に所定の幅でレーザー光が走査されるので、レーザー光が指し示す位置の確認がより容易になる。
【０１５６】
図９に示される測定器９１は、板状に形成され、いずれか一方の面に直線１２１と直線１２１に４５度に交差する直線１２２とが表され、直線１２１および直線１２２の交点に分岐中心孔１３１が形成され、規格に定められている配管の継手であって、４５度に分岐するかまたは４５度に曲がる継手の分岐または曲がりの中心から接合部までの長さに応じた、分岐中心孔１３１からの距離にある位置であって、直線１２１上または直線１２２上の位置に目盛り１３２−１乃至目盛り１３２−８、目盛り１３３−１乃至目盛り１３３−６、および目盛り１３４−１乃至目盛り１３３−９が設けられている物差し１０１と、直線１２１に沿って第１のレーザー光を射出し、直線１２２に沿って第２レーザー光を射出するレーザー墨出し部２０１とを含む。
【０１５７】
図９に示される測定器９１においては、接合元と、接合元を通る直線上の接合先である第１接合先と、４５度に分岐する接合先である第２接合先とに４５度に分岐する継手および３本の直管で接合する場合、レーザー墨出し部２０１からの第１のレーザー光が、接合元を通る直線上の接合先である第１接合先の中心を指し、レーザー墨出し部２０１からの第２のレーザー光が、４５度に分岐する接合先である第２接合先の中心を指す位置に測定器を配置し、物差し１０１に形成されている、直線１２１および直線１２２の交点の分岐中心孔１３１によって、４５度に分岐する継手の分岐の中心点が求められる。そして、物差し１０１の目盛り１３２−１乃至目盛り１３２−８のいずれかの位置および接合元の位置から、接合元および継手に接合される直管の長さが求められ、物差し１０１の目盛り１３３−１乃至目盛り１３３−６のいずれかの位置および第１接合先の位置から、第１接合先および継手に接合される直管の長さが求められ、物差し１０１の目盛り１３４−１乃至目盛り１３３−９のいずれかの位置および第２接合先の位置から、第２接合先および継手に接合される直管の長さが求められる。このように、施工の現場において、複雑な計算を必要とせず、より簡単に、より正確に、４５度に分岐する継手の位置およびその継手に接合される直管の長さを求めることができる。
【０１５８】
また、接合元と接合先とを４５度に曲がる継手および２本の直管で接合する場合、レーザー墨出し部２０１からの第１のレーザー光が、接合元を通る直線上の仮想的な接合位置である基準位置を指し、レーザー墨出し部２０１からの第２のレーザー光が、接合先の中心を指す位置に測定器を配置し、物差し１０１に形成されている、直線１２１および直線１２２の交点の分岐中心孔１３１によって、４５度に曲がる継手の曲がりの中心点が求められる。そして、物差し１０１の目盛り１３２−１乃至目盛り１３２−８のいずれかの位置および接合元の位置から、接合元および継手に接合される直管の長さが求められ、物差し１０１の目盛り１３４−１乃至目盛り１３３−９のいずれかの位置および接合先の位置から、接合先および継手に接合される直管の長さが求められる。このように、施工の現場において、複雑な計算を必要とせず、より簡単に、より正確に、４５度に曲がる継手の位置およびその継手に接合される直管の長さを求めることができる。
【０１５９】
図４または図５に示される物差し１０１は、板状に形成され、いずれか一方の面に直線１２１と直線１２１に４５度に交差する直線１２２とが表され、直線１２１および直線１２２の交点に分岐中心孔１３１が形成され、規格に定められている配管の継手であって、４５度に分岐するかまたは４５度に曲がる継手の分岐または曲がりの中心から接合部までの長さに応じた、交点からの距離にある位置であって、直線１２１上または直線１２２上の位置に目盛り１３２−１乃至目盛り１３２−８、目盛り１３３−１乃至目盛り１３３−６、および目盛り１３４−１乃至目盛り１３３−９または目盛り１５２−１乃至目盛り１５２−８、目盛り１５３−１乃至目盛り１５３−６および目盛り１５４−１乃至目盛り１５４−９が設けられている。
【０１６０】
図４または図５に示される物差し１０１においては、レーザー墨出し器１７１と共に使用され、接合元と、接合元を通る直線上の接合先である第１接合先と、４５度に分岐する接合先である第２接合先とに４５度に分岐する継手および３本の直管で接合する場合、レーザー墨出し器１７１からのレーザー光が直線１２１に沿って射出するようにレーザー墨出し器１７１を物差し１０１に配置したとき、レーザー墨出し器１７１からのレーザー光が、接合元を通る直線上の接合先である第１接合先の中心を指し、レーザー墨出し器１７１からのレーザー光が直線１２２に沿って射出するようにレーザー墨出し器１７１を物差し１０１に配置したとき、レーザー墨出し器１７１からのレーザー光が、４５度に分岐する接合先である第２接合先の中心を指す位置に物差し１０１を配置し、物差し１０１に形成されている、直線１２１および直線１２２の交点の分岐中心孔１３１によって、４５度に分岐する継手の分岐の中心点が求められる。そして、物差し１０１の目盛り１３２−１乃至目盛り１３２−８または目盛り１５２−１乃至目盛り１５２−８のいずれかの位置および接合元の位置から、接合元および継手に接合される直管の長さが求められ、物差し１０１の目盛り１３３−１乃至目盛り１３３−６または目盛り１５３−１乃至目盛り１５３−６のいずれかの位置および第１接合先の位置から、第１接合先および継手に接合される直管の長さが求められ、物差し１０１の目盛り１３４−１乃至目盛り１３３−９または目盛り１５４−１乃至目盛り１５４−９のいずれかの位置および第２接合先の位置から、第２接合先および継手に接合される直管の長さが求められる。このように、施工の現場において、複雑な計算を必要とせず、より簡単に、より正確に、４５度に分岐する継手の位置およびその継手に接合される直管の長さを求めることができる。
【０１６１】
また、接合元と接合先とを４５度に曲がる継手および２本の管で接合する場合、レーザー墨出し器１７１からのレーザー光が直線１２１に沿って射出するようにレーザー墨出し器１７１を物差し１０１に配置したとき、レーザー墨出し器１７１からのレーザー光が、接合元を通る直線上の仮想的な接合位置である基準位置を指し、レーザー墨出し器１７１からのレーザー光が直線１２２に沿って射出するようにレーザー墨出し器１７１を物差し１０１に配置したとき、レーザー墨出し器１７１からのレーザー光が、接合先の中心を指す位置に物差し１０１を配置し、物差しに形成されている、直線１２１および直線１２２の交点の分岐中心孔１３１によって、４５度に曲がる継手の曲がりの中心点が求められる。そして、物差し１０１の目盛り１３２−１乃至目盛り１３２−８または目盛り１５２−１乃至目盛り１５２−８のいずれかの位置および接合元の位置から、接合元および継手に接合される直管の長さが求められ、物差し１０１の目盛り１３４−１乃至目盛り１３３−９または目盛り１５４−１乃至目盛り１５４−９のいずれかの位置および接合先の位置から、接合先および継手に接合される直管の長さが求められる。このように、施工の現場において、複雑な計算を必要とせず、より簡単に、より正確に、４５度に曲がる継手の位置およびその継手に接合される直管の長さを求めることができる。
【０１６２】
なお、物差し１０１は、ＶＵ継手に使用すると説明したがこれに限らず、ＴＳ継手（水道用硬質ポリ塩化ビニル管継手）やＤＶ継手（排水用硬質ポリ塩化ビニル管継手）など他の規格の継手に応じたものとすることもできる。また、継手の寸法は、例示したものに限らず、呼び径が１２５、１５０または２００などの他の寸法に応じて物差し１０１を構成することができる。
【０１６３】
また、本考案の実施の形態は、上述した実施の形態に限定されるものではなく、本考案の要旨を逸脱しない範囲において種々の変更が可能である。
【符号の説明】
【０１６４】
９１  測定器，  １０１  物差し，  １０３および１０３  レーザー墨出し部，  １２１および１２２  直線，  １２３および１２４  配置マーク，  １２５および１２６  レーザー光射出マーク，  １２７  直線，  １３１  分岐中心孔，  １３２−１乃至１３２−８，１３３−１乃至１３３−６，１３４−１乃至１３４−９，１５２−１乃至１５２−９，１５３−１乃至１５３−６および１５４−１乃至１５４−９  目盛り，  １７１および２０１  レーザー墨出し器
【図１】
0003212772.tif 000003
【図２】
0003212772.tif 000004
【図３】
0003212772.tif 000005
【図４】
0003212772.tif 000006
【図５】
0003212772.tif 000007
【図６】
0003212772.tif 000008
【図７】
0003212772.tif 000009
【図８】
0003212772.tif 000010
【図９】
0003212772.tif 000011